(57)【要約】【課題】無線ＩＰネットワークを経由して音声ＩＰパケットを伝送する場合において、急激な通信品質の劣化にも対応しつつ、異なる無線ＩＰネットワークを経由する通信経路への適切な切り替えを行うことができる通信経路制御装置、無線通信装置、通信経路制御方法及び無線通信装置の通信方法を提供する。【解決手段】スイッチングサーバ１００は、携帯電話端末３００ＡからＩＰ電話端末４２に向けて送信されたＶｏＩＰパケットを中継し、携帯電話端末３００Ａから受信したＶｏＩＰパケットの受信時刻を順次取得する。また、スイッチングサーバ１００は、取得した複数の受信時刻に基づいて、無線ＩＰネットワーク１０Ａを経由する通信経路Ｒ１を、無線ＩＰネットワーク１０Ｂを経由する通信経路Ｒ２に切り替える。【選択図】図１
2010233234.tif 000002
【特許請求の範囲】
【請求項１】
音声信号がＩＰパケットに変換された音声ＩＰパケットを伝送する第１の無線ＩＰネットワーク、及び前記第１の無線ＩＰネットワークと異なる第２の無線ＩＰネットワークに接続可能な無線通信装置であって、
前記音声ＩＰパケットを前記第１の無線ＩＰネットワークまたは前記第２の無線ＩＰネットワークを経由して送受信する送受信部と、
前記音声ＩＰパケットを所定の間隔で送信しているか否かを検出する無音検出部と、
前記無音検出部によって前記音声ＩＰパケットの送信が停止されていると判定されている間、前記停止まで前記送受信部が前記音声ＩＰパケットを送信していた前記第１の無線ＩＰネットワークを経由して、前記音声ＩＰパケットの擬似パケットを所定の間隔で送信する擬似パケット送信部とを備える無線通信装置。
【請求項２】
音声信号がＩＰパケットに変換された音声ＩＰパケットを伝送する第１の無線ＩＰネットワーク、及び前記第１の無線ＩＰネットワークと異なる第２の無線ＩＰネットワークに接続可能な無線通信装置の通信方法であって、
前記音声ＩＰパケットを前記第１の無線ＩＰネットワークまたは前記第２の無線ＩＰネットワークを経由して送受信するステップと、
前記音声ＩＰパケットを所定の間隔で送信しているか否かを検出するステップと、
前記音声ＩＰパケットの送信が停止されていると判定されている間、前記停止まで前記音声ＩＰパケットを送信していた前記第１の無線ＩＰネットワークを経由して、前記音声ＩＰパケットの擬似パケットを所定の間隔で送信するステップと、
を含む無線通信装置の通信方法。
【発明の詳細な説明】
【技術分野】
【０００１】
本発明は、複数の無線ＩＰネットワークに接続可能な無線通信装置との通信経路を制御する通信経路制御装置及び通信経路制御方法、複数の無線ＩＰネットワークに接続可能な無線通信装置及び無線通信装置の通信方法に関する。
【背景技術】
【０００２】
近年、インターネットプロトコル（ＩＰ）に対応したＩＰネットワークの普及が著しい。
ＩＰネットワークの普及に伴い、いわゆるＶｏＩＰ技術を用いて音声信号をＩＰパケット（以下、音声ＩＰパケット）に変換し、ＩＰネットワークを介して音声ＩＰパケットを伝送することが一般的になりつつある。
【０００３】
このように、ＩＰネットワークを介して音声ＩＰパケットを伝送する場合において、ＩＰネットワークの通信品質（例えば、ＩＰパケットの伝送遅延時間）に基づいて、電話端末間の通信経路を切り替える方法が開示されている（例えば、特許文献１）。
【０００４】
当該方法では、ＲＴＰ（real-time transport protocol）を用いて音声ＩＰパケットが伝送される。
また、音声ＩＰパケットのセッションを制御するため、ＲＴＣＰ（RTP control protocol）が用いられる。
音声ＩＰパケットの受信側では、受信したＲＴＣＰパケットに含まれる情報からＩＰネットワークの通信品質が判定され、判定結果に応じて電話端末間の通信経路が切り替えられる。
【先行技術文献】
【特許文献】
【０００５】
【特許文献１】特開２００２−３４４４９７号公報（第７−８頁、第５−７図）
【発明の概要】
【発明が解決しようとする課題】
【０００６】
しかしながら、上述した通信経路を切り替える方法には、次のような問題があった。
すなわち、ＲＴＣＰパケットの平均的な送信間隔が長い（２秒程度）ため、無線基地局などによって構成される無線ＩＰネットワークでは、フェージングなど、急激な通信品質の劣化に対応することができない場合が発生する。
【０００７】
また、複数の無線ＩＰネットワーク（例えば、携帯電話ネットワークと無線ＬＡＮネットワーク）間において通信経路を切り替える場合、無線ＩＰネットワークの下り方向における通信品質の劣化に対しては、無線通信装置が切り替えを主導することができる。
一方、無線ＩＰネットワークの上り方向における通信品質の劣化に対しては、受信側の通信制御装置において、無線ＩＰネットワークの無線状態や通信品質の劣化を把握することが困難なため、他の無線ＩＰネットワークを経由した通信経路への切り替えを行うべきか否かを判定することができないといった問題があった。
また、送信後の無線通信装置においても、受信側における通信品質の劣化を把握することが困難なため、同様の問題があった。
【０００８】
そこで、本発明は、このような状況に鑑みてなされたものであり、無線ＩＰネットワークを経由して音声ＩＰパケットを伝送する場合において、急激な通信品質の劣化にも対応しつつ、異なる無線ＩＰネットワークを経由する通信経路への適切な切り替えを行うことができる通信経路制御装置、無線通信装置、通信経路制御方法及び無線通信装置の通信方法を提供することを目的とする。
【課題を解決するための手段】
【０００９】
上述した問題を解決するため、本発明は、次のような特徴を有している。
まず、本発明の第１の特徴は、音声信号がＩＰパケットに変換された音声ＩＰパケット（例えば、ＶｏＩＰパケットＰ１１）を伝送する第１の無線ＩＰネットワーク（無線ＩＰネットワーク１０Ａ）、及び前記第１の無線ＩＰネットワークと異なる第２の無線ＩＰネットワーク（無線ＩＰネットワーク１０Ｂ）に接続可能な無線通信装置（例えば、携帯電話端末３００Ａ）であって、前記音声ＩＰパケットを前記第１の無線ＩＰネットワークまたは前記第２の無線ＩＰネットワークを経由して送受信する送受信部（受信制御部３０７及び送信パケット振り分け部３０９）と、前記音声ＩＰパケットが所定の間隔で送信されているか否かを検出する無音検出部（無音検出部３１５）と、前記無音検出部によって前記音声ＩＰパケットの送信が停止されていると判定されている間、前記停止まで前記送受信部が前記音声ＩＰパケットを送信していた前記第１の無線ＩＰネットワークを経由して、前記音声ＩＰパケットの擬似パケットを所定の間隔で送信する擬似パケット送信部（送信パケット振り分け部３０９及び擬似パケット生成部３１１）とを備えることを要旨とする。
【００１０】
本発明の第２の特徴は、音声信号がＩＰパケットに変換された音声ＩＰパケットを伝送する第１の無線ＩＰネットワーク、及び前記第１の無線ＩＰネットワークと異なる第２の無線ＩＰネットワークに接続可能な無線通信装置の通信方法が、前記音声ＩＰパケットを前記第１の無線ＩＰネットワークまたは前記第２の無線ＩＰネットワークを経由して送受信するステップと、前記音声ＩＰパケットを所定の間隔で送信しているか否かを検出するステップと、前記音声ＩＰパケットの送信が停止されていると判定されている間、前記停止まで前記音声ＩＰパケットを送信していた前記第１の無線ＩＰネットワークを経由して、前記音声ＩＰパケットの擬似パケットを所定の間隔で送信するステップとを含むことを要旨とする。
【発明の効果】
【００１１】
本発明の特徴によれば、無線ＩＰネットワークを経由して音声ＩＰパケットを伝送する場合において、急激な通信品質の劣化にも対応しつつ、異なる無線ＩＰネットワークを経由する通信経路への適切な切り替えを行うことができる通信経路制御装置、無線通信装置、通信経路制御方法及び無線通信装置の通信方法を提供することができる。
【図面の簡単な説明】
【００１２】
【図１】本発明の実施形態に係る通信システムの全体概略構成図である。
【図２】本発明の実施形態に係る通信経路制御装置の機能ブロック構成図である。
【図３】本発明の実施形態に係る無線通信装置の機能ブロック構成図である。
【図４】本発明の実施形態に係る通信システムによる通信経路の切り替え動作を示すフロー図である。
【図５】本発明の実施形態に係る通信システムによる擬似パケットの送信動作を示すフロー図である。
【図６】本発明の実施形態に係る通信システムにおいて、複数の携帯電話端末との通信経路を順次切り替える動作を示すフロー図である。
【図７】本発明の実施形態に係る通信システムによる擬似パケットの送信動作を説明する説明図である。
【発明を実施するための形態】
【００１３】
次に、本発明の実施形態について説明する。
なお、以下の図面の記載において、同一または類似の部分には、同一または類似の符号を付している。
ただし、図面は模式的なものであり、各寸法の比率などは現実のものとは異なることに留意すべきである。
【００１４】
したがって、具体的な寸法などは以下の説明を参酌して判断すべきものである。
また、図面相互間においても互いの寸法の関係や比率が異なる部分が含まれていることは勿論である。
【００１５】
（通信システムの全体概略構成）  図１は、本実施形態に係る通信システム１の全体概略構成図である。
図１に示すように、通信システム１には、無線ＩＰネットワーク１０Ａ及び無線ＩＰネットワーク１０Ｂが含まれる。
無線ＩＰネットワーク１０Ａは、ＩＰパケットを伝送することができるＩＰネットワークである。
【００１６】
無線ＩＰネットワーク１０Ａは、携帯電話端末３００Ａ，３００Ｂ及び３００Ｎ（無線通信装置）との無線通信を実行する無線基地局１１，１２を備える。
本実施形態では、無線ＩＰネットワーク１０Ａは、無線通信方式としてＣＤＭＡ（具体的には、３ＧＰＰ２の規格であるＨＲＰＤ）を用いる携帯電話ネットワークである。
【００１７】
無線ＩＰネットワーク１０Ｂは、無線ＩＰネットワーク１０Ａと同様にＩＰパケットを伝送することができる。
無線ＩＰネットワーク１０Ｂは、携帯電話端末３００Ａ，３００Ｂ及び３００Ｎ（無線通信装置）との無線通信を実行する無線基地局１３を備える。
なお、無線基地局及び携帯電話端末の数は、図１に示した数に限定されるものではない。
【００１８】
無線ＩＰネットワーク１０Ｂは、無線ＩＰネットワーク１０Ａとは異なる無線通信方式を用いる。
本実施形態では、無線ＩＰネットワーク１０Ｂは、無線通信方式として、ＩＥＥＥ８０２．１６ｅの規定に準拠したモバイルＷｉＭＡＸを用いる。
【００１９】
また、無線ＩＰネットワーク１０Ａ及び無線ＩＰネットワーク１０Ｂでは、音声信号がＩＰパケットに変換されたＶｏＩＰパケット（音声ＩＰパケット）が伝送される。
なお、ＣＤＭＡを用いる無線ＩＰネットワーク１０Ａと、モバイルＷｉＭＡＸを用いる無線ＩＰネットワーク１０Ｂとは、音声信号の符号化に用いられる音声符号化則が異なる。
具体的には、無線ＩＰネットワーク１０Ａでは、ＩＴＵ−Ｔ  Ｇ．７２９が用いられる。
また、無線ＩＰネットワーク１０Ｂでは、ＩＴＵ−Ｔ  Ｇ．７１１が用いられる。
【００２０】
無線ＩＰネットワーク１０Ａ及び無線ＩＰネットワーク１０Ｂは、インターネット２０に接続される。
また、インターネット２０には、中継センタ３０が接続される。
【００２１】
中継センタ３０には、携帯電話端末３００Ａ，３００Ｂ及び３００Ｎが送受信するＩＰパケットを中継するネットワーク機器が設置される。
具体的には、中継センタ３０には、スイッチングサーバ１００、及びＶＰＮルータ２００Ａ，２００Ｂが設置される。
【００２２】
スイッチングサーバ１００は、携帯電話端末３００Ａ，３００Ｂ及び３００Ｎとの通信経路（通信経路Ｒ１，Ｒ２）を制御する。
本実施形態において、スイッチングサーバ１００は、通信経路制御装置を構成する。
【００２３】
ＶＰＮルータ２００Ａ，２００Ｂは、ＩＰパケットのルーティング処理を実行する。
また、ＶＰＮルータ２００Ａ，２００Ｂは、携帯電話端末３００Ａ（３００Ｂ，３００Ｎ）〜スイッチングサーバ１００間に、ＶＰＮ（ＩＰＳｅｃ）によるトンネルを確立する。
当該トンネルを確立することによって、ＯＳＩ第３層の仮想化を実現し、携帯電話端末３００Ａ（３００Ｂ，３００Ｎ）のＩＰモビリティが確保される。
【００２４】
すなわち、本実施形態では、Ｍｏｂｉｌｅ ＩＰ（ＲＦＣ２００２）とは異なり、携帯電話端末３００Ａ（３００Ｂ，３００Ｎ）は、無線ＩＰネットワーク１０Ａを経由して設定された通信経路Ｒ１、及び無線ＩＰネットワーク１０Ｂを経由して設定された通信経路Ｒ２の両通信経路を同時に用いながら、通信先（具体的には、ＩＰ電話端末４２）との通信を実行することができる。
【００２５】
つまり、携帯電話端末３００Ａ（３００Ｂ，３００Ｎ）は、スイッチングサーバ１００を経由して通信先との通信を実行するが、通信先は、携帯電話端末３００Ａ（３００Ｂ，３００Ｎ）〜スイッチングサーバ１００間において、通信経路Ｒ１または通信経路Ｒ２の何れの通信経路が用いられているかを認識せずに、携帯電話端末３００Ａ（３００Ｂ，３００Ｎ）のホームアドレスを宛先アドレスとして用いることができる。
なお、本実施形態では、スイッチングサーバ１００において、携帯電話端末３００Ａ（３００Ｂ，３００Ｎ）のホームアドレスは、無線ＩＰネットワーク１０Ａにおいて携帯電話端末３００Ａ（３００Ｂ，３００Ｎ）に割り当てられる気付アドレス、及び無線ＩＰネットワーク１０Ｂにおいて携帯電話端末３００Ａ（３００Ｂ，３００Ｎ）に割り当てられる気付アドレスとそれぞれ対応付けられる。
【００２６】
中継センタ３０（スイッチングサーバ１００）は、所定の通信ネットワーク（不図示）を経由して、ユーザ構内４０と接続される。
ユーザ構内４０には、ＩＰ電話交換機４１及びＩＰ電話端末４２が設置される。
ＩＰ電話交換機４１は、当該所定の通信ネットワークとＩＰ電話端末４２との間においてＶｏＩＰパケットを中継する。
ＩＰ電話端末４２は、音声信号とＶｏＩＰパケットとを相互に変換したり、ＶｏＩＰパケットを送受信したりする。
【００２７】
（通信システムの機能ブロック構成）  次に、通信システム１の機能ブロック構成について説明する。
具体的には、通信システム１に含まれるスイッチングサーバ１００及び携帯電話端末３００Ａの機能ブロック構成について説明する。
【００２８】
なお、以下の説明では、スイッチングサーバ１００、携帯電話端末３００Ａ（３００Ｂ，３００Ｎ）、及びユーザ構内４０に設置されるＩＰ電話交換機４１，ＩＰ電話端末４２をそれぞれ次のように適宜省略する。
【００２９】
・  スイッチングサーバ１００：  ＳＳ
・  携帯電話端末３００Ａ（３００Ｂ，３００Ｎ）：  ＭＮ
・  ＩＰ電話交換機４１，ＩＰ電話端末４２：  ＣＮ
（１）スイッチングサーバ１００  図２は、スイッチングサーバ１００の機能ブロック構成図である。
図２に示すように、スイッチングサーバ１００は、通信インタフェースとして、ＭＮ側通信インタフェース１０１、ＭＮ側通信インタフェース１０３及びＣＮ側通信インタフェース１２３を備える。
【００３０】
ＭＮ側通信インタフェース１０１，１０３は、ＭＮとの通信の実行に用いられる。
具体的には、ＭＮ側通信インタフェース１０１は、ＶＰＮルータ２００Ａと接続され、ＭＮ側通信インタフェース１０３は、ＶＰＮルータ２００Ｂと接続される。
ＣＮ側通信インタフェース１２３は、ＣＮとの通信の実行に用いられる。
【００３１】
また、スイッチングサーバ１００は、擬似パケット生成部１０５、無音検出部１０７、送信パケット振り分け部１０９、通信経路制御部１１１、ＭＮ側受信制御部１１３、ＣＮ側受信制御部１１５、ＣＮ側送信部１１７、ＣＮ側通信経路制御部１１９及びタイマ１２１を備える。
【００３２】
擬似パケット生成部１０５は、後述する擬似パケット生成部３１１と同様に、無音検出部１０７によってＶｏＩＰパケットの送信が停止されている間、ＶｏＩＰパケットの擬似パケットを所定の間隔で送信することができる。
【００３３】
無音検出部１０７は、ＣＮ側受信制御部１１５を介してＣＮから受信したＶｏＩＰパケットの受信時刻に基づいて、携帯電話端末３００Ａと、通信先であるＩＰ電話端末４２との間における通話（下り方向）が行われていない状態（無音状態）を検出する。
【００３４】
具体的には、無音検出部１０７は、既にＣＮから受信したＶｏＩＰパケットの平均受信間隔と、最新のＶｏＩＰパケットの受信間隔とに基づいて、ＣＮによるＶｏＩＰパケットの送信が停止されているか否かを判定する。
なお、最新のＶｏＩＰパケットの受信間隔とは、最後に受信したＶｏＩＰパケットと、当該ＶｏＩＰパケットの直前に受信したＶｏＩＰパケットとの間隔である。
【００３５】
本実施形態では、無音検出部１０７は、表１及び表２に示す条件にしたがって無音状態を判定する。
【００３６】
【表１】
2010233234.tif 000003
【表２】
2010233234.tif 000004
【００３７】
なお、表１及び表２に示す無音状態の判定方法は例示であり、公知の他の方法に基づく判定方法でも構わない。
また、携帯電話端末３００Ａの通話者がしゃべっているために、下り方向、つまり、ＩＰ電話端末４２からスイッチングサーバ１００への方向において、無音状態が数秒以上に渡って継続するような場合、通信経路（例えば、通信経路Ｒ１）が切断されていないことを、ＲＴＣＰパケットを用いて検出してもよい。
或いは、ＣＮ側受信制御部１１５がＶｏＩＰパケットを１秒以上受信しない場合、比較的パケットサイズの小さいＩＣＭＰパケット（ｐｉｎｇ）を用いて通信経路が切断されていないことを能動的に確認するようにしてもよい。
【００３８】
さらに、無音検出部１０７は、下り方向に加え、ＭＮから受信したＶｏＩＰパケットに基づいて、上り方向の無音状態を検出することもできる。
【００３９】
送信パケット振り分け部１０９は、通信経路制御部１１１による指示に応じて、携帯電話端末３００Ａに送信されるＩＰパケットをＭＮ側通信インタフェース１０１またはＭＮ側通信インタフェース１０３の何れかに振り分ける。
また、送信パケット振り分け部１０９は、携帯電話端末３００Ａに送信されるＩＰパケットに、携帯電話端末３００Ａのホームアドレスと対応付けられている気付アドレスを付加する。
【００４０】
通信経路制御部１１１は、携帯電話端末３００Ａに送信されるＩＰパケットの通信経路を選択する。
具体的には、通信経路制御部１１１は、携帯電話端末３００Ａに送信されるＩＰパケットの通信経路として、通信経路Ｒ１または通信経路Ｒ２（図１参照）を選択する。
【００４１】
また、通信経路制御部１１１は、ＭＮ側受信制御部１１３が取得した複数のＶｏＩＰパケットの受信時刻に基づいて、例えば、通信経路を無線ＩＰネットワーク１０Ａ経由から、無線ＩＰネットワーク１０Ｂ経由に切り替える。
【００４２】
具体的には、通信経路制御部１１１は、タイマ１２１によって出力されるデータを用い、受信したＶｏＩＰパケットの受信時刻に基づいて所定の基準時刻（例えば、図７に示す時刻ｔ０）からの経過時間を演算する。
通信経路制御部１１１は、ＶｏＩＰパケットに含まれる当該ＶｏＩＰパケットのシーケンス番号（ｓｅｑ）、及びＶｏＩＰパケットの時間長（例えば、２０ｍｓ）を用いて求められる標準伝送時間と、演算した経過時間との差に基づいて、例えば、通信経路Ｒ１を通信経路Ｒ２に切り替える。
また、通信経路制御部１１１は、通信経路の切り替え要求をＭＮに送信する。
【００４３】
また、通信経路制御部１１１は、無音検出部１０７によってＶｏＩＰパケットの送信が停止されていると判定されている間、通信経路の切り替えを中止することができる。
【００４４】
さらに、通信経路制御部１１１は、同一の無線基地局（例えば、無線基地局１１）との無線通信を実行する複数の移動電話端末（例えば、携帯電話端末３００Ａ，３００Ｂ及び３００Ｎ）との通信経路を切り替える場合、当該複数の移動電話端末のうち、一部の移動電話端末（例えば、携帯電話端末３００Ａ）との通信経路のみを切り替えることができる。
通信経路制御部１１１は、当該一部の移動電話端末との通信経路の切り替えが完了した後、ＭＮ側受信制御部１１３が取得した複数のＶｏＩＰパケットの受信時刻に基づいて、当該一部の移動電話端末を除く残りの移動電話端末（携帯電話端末３００Ｂ，３００Ｎ）との通信経路を切り替えるか否かを判定する。
【００４５】
本実施形態では、通信経路制御部１１１は、表３及び表４に示す条件にしたがって通信経路を切り替えるか否かを判定する。
【００４６】
【表３】
2010233234.tif 000005
【表４】
2010233234.tif 000006
【００４７】
なお、本実施形態では、２０ｍｓのフレーム長を使用したコーデック（音声符号化則）が用いられるため、シーケンス番号（ｓｅｑ）＊２０ｍｓを基準としているが、フレーム長が３０ｍｓの場合は、シーケンス番号（ｓｅｑ）＊３０ｍｓを基準とすればよい。
【００４８】
ＭＮ側受信制御部１１３は、携帯電話端末３００Ａから受信したＩＰパケットに関する制御を実行する。
特に、本実施形態では、ＭＮ側受信制御部１１３は、ＭＮ側通信インタフェース１０１またはＭＮ側通信インタフェース１０３を介して受信したＶｏＩＰパケットの受信時刻を順次取得する。
本実施形態において、ＭＮ側受信制御部１１３は、受信時刻取得部を構成する。
また、ＭＮ側受信制御部１１３は、携帯電話端末３００Ａから受信したＶｏＩＰパケットをＣＮ側通信経路制御部１１９に中継する。
【００４９】
ＣＮ側受信制御部１１５は、ＩＰ電話交換機４１から受信したＩＰパケットに関する制御を実行する。
特に、本実施形態では、ＣＮ側受信制御部１１５は、ＣＮ側通信インタフェース１２３を介して受信したＶｏＩＰパケットの受信時刻を順次取得することができる。
また、ＣＮ側受信制御部１１５は、ＩＰ電話交換機４１から受信したＶｏＩＰパケットを送信パケット振り分け部１０９に中継する。
【００５０】
ＣＮ側送信部１１７は、ＣＮ側通信経路制御部１１９から出力されたＩＰパケットをＣＮ側通信インタフェース１２３に中継する。
【００５１】
ＣＮ側通信経路制御部１１９は、ＭＮ側受信制御部１１３によって中継されたＩＰパケットに含まれる宛先アドレスに基づいて、ＣＮに向けて送信されるＩＰパケットの通信経路を制御する。
本実施形態では、ＭＮ側受信制御部１１３とＣＮ側通信経路制御部１１９とによって、携帯電話端末３００Ａから通信先に向けて送信されたＶｏＩＰパケットを中継する中継部が構成される。
【００５２】
タイマ１２１は、通信経路制御部１１１による経過時間の演算に用いられる時間情報を出力する。
【００５３】
（２）携帯電話端末３００Ａ  図３は、携帯電話端末３００Ａの機能ブロック構成図である。
なお、携帯電話端末３００Ｂ，３００Ｎも携帯電話端末３００Ａと同様の機能ブロック構成を有する。
また、以下、上述したスイッチングサーバ１００と同様の機能については、その説明を適宜省略する。
【００５４】
図３に示すように、携帯電話端末３００Ａは、無線通信インタフェース３０１及び無線通信インタフェース３０３を備える。
無線通信インタフェース３０１は、無線ＩＰネットワーク１０Ａを経由する通信に用いられる。
すなわち、無線通信インタフェース３０１は、ＣＤＭＡ（３ＧＰＰ２の規格であるＨＲＰＤ）の規格に準拠している。
【００５５】
無線通信インタフェース３０３は、無線ＩＰネットワーク１０Ｂを経由する通信に用いられる。
すなわち、無線通信インタフェース３０３は、モバイルＷｉＭＡＸの規格に準拠している。
【００５６】
また、携帯電話端末３００Ａは、無線状態監視部３０５、受信制御部３０７、送信パケット振り分け部３０９、擬似パケット生成部３１１、アプリケーション３１３、無音検出部３１５、ユーザインタフェース３１７、通信経路制御部３１９及びタイマ３２１を備える。
【００５７】
無線状態監視部３０５は、無線通信インタフェース３０１及び無線通信インタフェース３０３が受信する無線信号の状態を監視する。
【００５８】
また、無線状態監視部３０５は、スイッチングサーバ１００からの指示に基づいて、無線通信インタフェース３０１または無線通信インタフェース３０３を介して、無線ＩＰネットワーク１０Ａまたは無線ＩＰネットワーク１０Ｂの状態（例えば、ＲＳＳＩ）を測定し、測定した結果をスイッチングサーバ１００に通知することができる。
さらに、無線状態監視部３０５は、無線通信インタフェース３０１及び無線通信インタフェース３０３と対向する無線基地局の識別子をスイッチングサーバ１００に通知することもできる。
【００５９】
受信制御部３０７は、スイッチングサーバ１００から受信したＩＰパケットに関する制御を実行する。
特に、本実施形態では、受信制御部３０７は、無線通信インタフェース３０１または無線通信インタフェース３０３を介して受信したＶｏＩＰパケットの受信時刻を順次取得する。
また、受信制御部３０７は、スイッチングサーバ１００から受信したＶｏＩＰパケットをアプリケーション３１３に中継する。
【００６０】
送信パケット振り分け部３０９は、スイッチングサーバ１００に送信されるＩＰパケットを無線通信インタフェース３０１または無線通信インタフェース３０３の何れかに振り分ける。
なお、本実施形態では、受信制御部３０７と、送信パケット振り分け部３０９とによって、送受信部が構成される。
【００６１】
擬似パケット生成部３１１は、無音検出部３１５によってＶｏＩＰパケットの送信を停止されていると判定されている間、当該停止まで送信パケット振り分け部３０９がＶｏＩＰパケットを送信していた無線ＩＰネットワーク（例えば、無線ＩＰネットワーク１０Ａ）を経由して、ＶｏＩＰパケットの擬似パケットを所定の間隔で送信することができる。
本実施形態では、送信パケット振り分け部３０９と、擬似パケット生成部３１１とによって、擬似パケット送信部が構成される。
【００６２】
具体的には、擬似パケット生成部３１１は、無音検出部３１５によってＶｏＩＰパケットの送信が停止されている間、ＶｏＩＰパケットと宛先アドレス及び送信タイミングが同様な擬似パケットを生成し、送信パケット振り分け部３０９に出力する。
【００６３】
アプリケーション３１３は、携帯電話端末３００Ａの機能を提供するために必要となる各種のアプリケーションソフトウェア（例えば、ＩＰ電話）によって構成される。
アプリケーション３１３に含まれるＩＰ電話アプリケーションによって、音声信号とＶｏＩＰパケットとの相互変換が実行される。
また、ＩＰ電話アプリケーションは、ユーザインタフェース３１７を介して音声信号が入力されないとき（具体的には、入力される音声信号が所定のレベル以下のとき）に、ＶｏＩＰパケットの送信を停止する。
【００６４】
無音検出部３１５は、アプリケーション３１３（ＩＰ電話）によってＶｏＩＰパケットが生成されない場合、つまり、ＶｏＩＰパケットが所定の間隔で送信されているか否かを検出する。
なお、アプリケーション３１３（ＩＰ電話）は、ユーザインタフェース３１７を介して音声信号（またはＶｏＩＰパケット）が入力されていないとき、ＶｏＩＰパケットを生成しないようにすることができる。
【００６５】
本実施形態では、無音検出部３１５は、スイッチングサーバ１００と同様に、表１に示した無音状態判定閾値に基づいて無音状態を判定する。
ここで、図７は、無音検出部３１５による無音状態の判定処理、及び擬似パケット生成部３１１による擬似パケットの送信処理の具体例を示す。
【００６６】
図７に示すように、ＶｏＩＰパケット（より具体的には、ＲＴＰパケット）は、２０ｍｓごとに送信される。
ＶｏＩＰパケットのサイズは６５ｂｙｔｅである。
図７では、ＶｏＩＰパケットＰ１１が時刻ｔ０に送信され、次いで、ＶｏＩＰパケットＰ１２及びＰ１３が２０ｍｓごとに順次送信されている。
ここで、無音検出部３１５は、時刻ｔ１に無音状態を検出する。
【００６７】
無音検出部３１５によって無音状態が検出されると、擬似パケット生成部３１１は、擬似パケットＰ２１を時刻ｔ２に送信する。
なお、擬似パケット生成部３１１は、ＶｏＩＰパケットの送信周期と合わせて時刻ｔ２’に擬似パケットＰ２１を送信してもよいが、本実施形態では、所定の閾値（５ｍｓ）の経過後（時刻ｔ２）に、擬似パケットＰ２１を送信する。
【００６８】
また、擬似パケット生成部３１１は、ＨＰＲＤの送信周期（所定の無線フレーム）に合わせて擬似パケットを送信する。
本実施形態では、ＶｏＩＰパケットの送信周期は２０ｍｓであり、ＨＰＲＤの送信周期は２６．６ｍｓである。
【００６９】
なお、無音検出部３１５によって無音状態と判定された後、最初に送信される擬似パケットＰ２１の送信タイミングは、次のＨＰＲＤの送信周期にしたがって送信される１２１ｂｙｔｅの無線パケット（不図示）に含まれていればよく、図７の例の場合、所定の閾値（５ｍｓ）を１５ｍｓまで延ばすこともできる。
【００７０】
また、本実施形態では、無線ＩＰネットワーク１０Ａを介して送信されるＶｏＩＰパケットは、ＨＰＲＤの送信周期、つまり、所定の無線フレームに割り当てられる。
また、無線フレームの構成は、無線ＩＰネットワーク１０Ａと、無線ＩＰネットワーク１０Ｂとにおいて異なる。
【００７１】
擬似パケット生成部３１１は、擬似パケットＰ２１〜Ｐ２ｎを順次送信する。
なお、擬似パケットＰ２１〜Ｐ２ｎは、上述したように、ＶｏＩＰパケットＰ１１〜Ｐ１３とほぼ同様の構成を有する。
【００７２】
次いで、無音検出部３１５は、時刻ｔ３にＶｏＩＰパケットＰ１４の送信を検出する。
無音検出部３１５によってＶｏＩＰパケットＰ１４の送信が検出されると、擬似パケット生成部３１１は、擬似パケットの送信を中止する。
また、ＶｏＩＰパケットＰ１４に引き続き、ＶｏＩＰパケットＰ１５，Ｐ１６が送信される。
【００７３】
図３に示すように、ユーザインタフェース３１７は、携帯電話端末３００Ａのユーザとのインタフェースを提供する。
ユーザインタフェース３１７には、操作キー部や画像表示部が含まれる。
また、ユーザインタフェース３１７には、パーソナル・コンピュータなどを接続する通信インタフェースも含まれる。
【００７４】
通信経路制御部３１９は、無線状態監視部３０５によって監視された無線信号の状態や、受信制御部３０７によって取得されたＶｏＩＰパケットの受信時刻に基づいて、例えば、通信経路を無線ＩＰネットワーク１０Ａ経由から、無線ＩＰネットワーク１０Ｂ経由に切り替える。
【００７５】
タイマ３２１は、通信経路制御部３１９による通信経路の切り替えの判定などに用いられる時間情報を出力する。
【００７６】
（通信システムの動作）  次に、上述した通信システム１の動作について説明する。
具体的には、（１）通信経路の切り替え動作、（２）擬似パケットの送信動作、（３）複数の携帯電話端末との通信経路の順次切り替え動作、について説明する。
【００７７】
（１）通信経路の切り替え動作  図４は、スイッチングサーバ１００による通信経路の切り替え動作を示すフロー図である。
図４に示すように、ステップＳ１１において、スイッチングサーバ１００（ＳＳ）は、ＭＮ（例えば、携帯電話端末３００Ａ）とＣＮ（ＩＰ電話端末４２）との通信（音声通話）の開始に伴って、ＭＮ及びＣＮから、ＶｏＩＰパケットをそれぞれ受信する。
なお、ステップＳ１１では、通信経路Ｒ１、つまり、無線ＩＰネットワーク１０Ａ（図１参照）を用いて通信が開始されたものとする。
【００７８】
ステップＳ１３において、スイッチングサーバ１００は、通信の開始に伴い、シーケンス番号（ｓｅｑ）が０であるＶｏＩＰパケットを受信すると、当該ＶｏＩＰパケットの受信時刻（例えば、時刻ｔ０）からの経過時間（ｔ）の計測を開始する。
【００７９】
ステップＳ１５において、スイッチングサーバ１００は、順次受信したＶｏＩＰパケットのシーケンス番号（ｓｅｑ）及び当該ＶｏＩＰパケットの受信時刻を監視する。
【００８０】
ステップＳ１７において、スイッチングサーバ１００は、無音状態を検出したか否かを判定する。
具体的には、スイッチングサーバ１００は、表１及び表２に示した条件にしたがって、ＭＮとＣＮとの通信（音声通話）が、無音状態か否かを判定する。
【００８１】
無音状態を検出した場合（ステップＳ１７のＹＥＳ）、スイッチングサーバ１００は、ステップＳ１３からの動作を繰り返す。
【００８２】
無音状態を検出していない場合（ステップＳ１７のＮＯ）、ステップＳ１９において、スイッチングサーバ１００は、通信経路の切り替え条件を満足するか否かを判定する。
具体的には、スイッチングサーバ１００は、表３及び表４に示した条件にしたがって、通信経路の切り替え条件を満足するか否かを判定する。
【００８３】
通信経路の切り替え条件を満足する場合（ステップＳ１９のＹＥＳ）、ステップＳ２１において、スイッチングサーバ１００は、ＭＮとの通信経路を切り替える。
具体的には、スイッチングサーバ１００は、通信経路Ｒ１から通信経路Ｒ２に切り替える。
【００８４】
通信経路の切り替え条件を満足しない場合（ステップＳ１９のＮＯ）、スイッチングサーバ１００は、ステップＳ１５からの動作を繰り返す。
【００８５】
ステップＳ２３において、スイッチングサーバ１００は、通信経路を通信経路Ｒ１から通信経路Ｒ２に切り替える切り替え要求をＭＮに送信する。
【００８６】
ステップＳ２１及びＳ２３の動作が完了すると、ＭＮとＣＮとの間において送受信されるＶｏＩＰパケットは、通信経路Ｒ１ではなく、通信経路Ｒ２経由に変更される。
【００８７】
（２）擬似パケットの送信動作  図５は、携帯電話端末３００Ａによる擬似パケットの送信動作を示すフロー図である。
図５に示すように、ステップＳ１０１において、携帯電話端末３００Ａ（ＭＮ）は、ＳＳを介してＣＮに送信されるＶｏＩＰパケットを監視する。
具体的には、携帯電話端末３００Ａは、ＣＮに送信されるＶｏＩＰパケットの送信時刻を監視する。
なお、ここでは、通信経路Ｒ１を用いてＶｏＩＰパケットが送信されるものとする。
【００８８】
ステップＳ１０３において、携帯電話端末３００Ａは、最近に送信されたＶｏＩＰパケットの送信時刻から所定時間（例えば、表１に示す無音状態判定閾値）経過したか否かを判定する。
【００８９】
最近に送信されたＶｏＩＰパケットの送信時刻から所定時間経過した場合（ステップＳ１０３のＹＥＳ）、携帯電話端末３００Ａは、ステップＳ１０５Ａ〜Ｓ１０５Ｂのループ処理を２０ｍｓごとに実行する。
【００９０】
ステップＳ１０７において、携帯電話端末３００Ａは、ＣＮにＶｏＩＰパケットを送信したか否かを判定する。
【００９１】
ＣＮにＶｏＩＰパケットを送信していない場合（ステップＳ１０７のＮＯ）、ステップＳ１０９において、携帯電話端末３００Ａは、擬似パケットを送信する。
例えば、図７に示すように、携帯電話端末３００Ａは、通信経路Ｒ１、つまり、ＶｏＩＰパケットが送信されていた通信経路と同一の通信経路を用いて、擬似パケットＰ２１をＳＳに送信する。
【００９２】
ＳＳにＶｏＩＰパケットを送信した場合（ステップＳ１０７のＹＥＳ）、ステップＳ１１１において、携帯電話端末３００Ａは、擬似パケットの送信を中止する。
【００９３】
（３）複数の携帯電話端末との通信経路の順次切り替え動作  図６は、複数の携帯電話端末との通信経路を順次切り替える動作を示すフロー図である。
ここでは、複数のＭＮ、具体的には、携帯電話端末３００Ａ，３００Ｂ及び３００Ｎが同一の無線基地局、具体的には、無線基地局１１と無線通信を実行しているものとする。
【００９４】
図６に示すように、ステップＳ２０１において、スイッチングサーバ１００（ＳＳ）は、各ＭＮから送信されたＶｏＩＰパケットの受信間隔を監視する。
具体的には、スイッチングサーバ１００は、各ＭＮから送信されるＶｏＩＰパケットの受信時刻に基づいて、ＶｏＩＰパケットの受信間隔を監視する。
また、スイッチングサーバ１００は、各ＭＮが無線通信を実行している無線基地局１１の識別子を取得する。
なお、当該識別子は、例えば、各ＭＮから送信されるＩＰパケットに含めることができる。
【００９５】
ステップＳ２０３において、スイッチングサーバ１００は、何れかのＭＮ（例えば、携帯電話端末３００Ａ）から送信されたＶｏＩＰパケットの受信間隔が、通信経路の切り替え条件（表３及び表４参照）を満足するか否かを判定する。
【００９６】
当該条件を満足する場合（ステップＳ２０３のＹＥＳ）、ステップＳ２０５において、スイッチングサーバ１００は、当該条件を満足するＶｏＩＰパケットを送信したＭＮ（携帯電話端末３００Ａ）と同一基地局（無線基地局１１）を介して接続されている他のＭＮから送信されたＶｏＩＰパケットの受信間隔が、ステップＳ２０３において当該条件を満足すると判定されたＭＮ（携帯電話端末３００Ａ）と同様に、通信経路の切り替え条件を満足するか否かを判定する。
【００９７】
一方、当該条件を満足しない場合（ステップＳ２０３のＮＯ）、スイッチングサーバ１００は、ステップＳ２０１からの動作を繰り返す。
【００９８】
他のＭＮも同様に当該条件を満足する場合（ステップＳ２０５のＹＥＳ）、ステップＳ２０７において、スイッチングサーバ１００は、当該条件を満足する複数のＭＮに、通信経路の切り替え先（無線ＩＰネットワーク１０Ｂ）の状態（例えば、ＲＳＳＩやＣＩＲ）の測定（測定結果の通知を含む）を指示する。
【００９９】
つまり、本実施形態では、同一の無線基地局を介して接続される複数のＭＮについて、ＶｏＩＰパケットの受信間隔が同様である場合、無線区間の状態の変化に伴って上り方向の通信品質が劣化したのではなく、トラフィックの混雑によるものと推定される。
【０１００】
他のＭＮは当該条件を満足しない場合（ステップＳ２０５のＮＯ）、ステップＳ２０９において、スイッチングサーバ１００は、ステップＳ２０３において当該条件を満足すると判定されたＭＮとの通信経路を切り替える。
なお、具体的な切り替え方法は、上述したステップＳ２１及びＳ２３と同様である。
【０１０１】
ステップＳ２１１において、スイッチングサーバ１００は、各ＭＮからの通知された切り替え先（無線ＩＰネットワーク１０Ｂ）の状態の測定結果に基づいて、切り替え先の状態が最も良好なＭＮ（例えば、携帯電話端末３００Ａ）との通信経路を切り替える。
具体的には、スイッチングサーバ１００は、切り替え先の状態が最も良好なＭＮ（携帯電話端末３００Ａ）との通信経路Ｒ１（無線ＩＰネットワーク１０Ａ経由）を、通信経路Ｒ２（無線ＩＰネットワーク１０Ｂ経由）に切り替える。
【０１０２】
ステップＳ２１３において、スイッチングサーバ１００は、通信経路を切り替えていない他のＭＮ（携帯電話端末３００Ｂ，３００Ｎ）から送信されたＶｏＩＰパケットの受信間隔が改善したか否かを判定する。
具体的には、スイッチングサーバ１００は、当該ＭＮから送信されたＶｏＩＰパケットの受信間隔が、通信経路の切り替え条件を満足しないようになったかを判定する。
【０１０３】
ここで、仮に、すべてのＭＮとの通信経路を一斉に切り替えた場合、切り替え先でのトラフィックが急激に増大し、切り替え先でも同様の状態が発生する可能性がある。
そこで、一部のＭＮを対象として通信経路を切り替えれば、それぞれの無線ＩＰネットワークにトラフィックが分散され、通信経路を切り替えていない他のＭＮについても通信品質を改善させられる可能性があるためである。
【０１０４】
当該ＭＮから送信されたＶｏＩＰパケットの受信間隔が改善した場合（ステップＳ２１３のＹＥＳ）、スイッチングサーバ１００は、ステップＳ２０１からの動作を繰り返す。
つまり、スイッチングサーバ１００は、当該ＭＮとの通信経路を切り替えない。
【０１０５】
一方、当該ＭＮから送信されたＶｏＩＰパケットの受信間隔が改善しない場合（ステップＳ２１３のＮＯ）、スイッチングサーバ１００は、ステップＳ２１１からの動作を繰り返す。
つまり、スイッチングサーバ１００は、当該ＭＮ（携帯電話端末３００Ｂ，３００Ｎ）のうち、切り替え先の状態が最も良好なＭＮ（例えば、携帯電話端末３００Ｂ）との通信経路Ｒ１（無線ＩＰネットワーク１０Ａ経由）を、通信経路Ｒ２（無線ＩＰネットワーク１０Ｂ経由）に切り替える。
【０１０６】
（作用・効果）  スイッチングサーバ１００によれば、ＭＮからＣＮに向けて送信された複数のＶｏＩＰパケットの受信時刻に基づいて、通信経路が、通信経路Ｒ１から通信経路Ｒ２に切り替えられる。
このため、無線ＩＰネットワーク１０Ａ（または無線ＩＰネットワーク１０Ｂ）の上り方向における通信品質（ジッタ）の劣化した場合でも、通信経路を切り替えることができる。
【０１０７】
また、スイッチングサーバ１００によれば、音声信号がＩＰパケットに変換されたＶｏＩＰパケットの受信時刻に基づいて通信経路を切り替えるか否かが即座に判定されるため、平均的な送信間隔が長いＲＴＣＰパケットなどを用いる場合と比較して、通信品質の劣化に迅速に対応することができる。
すなわち、スイッチングサーバ１００によれば、フェージングなど、急激な通信品質の劣化が生じ得る無線ＩＰネットワーク１０Ａ，１０Ｂにも対応することができる。
【０１０８】
スイッチングサーバ１００によれば、スイッチングサーバ１００が受信したＶｏＩＰパケットのシーケンス番号（ｓｅｑ）及びＶｏＩＰパケットの時間長（２０ｍｓ）を用いて求められる標準伝送時間と、所定の基準時刻（例えば、図１０に示した時刻ｔ０）から経過時間との差に基づいて、通信経路を切り替えるか否かが判定される。
すなわち、無音状態が検出された場合などには、適宜所定の基準時刻が設定し直され（図４のステップＳ１３参照）、通信経路の切り替えの判定に用いる範囲が変更されるため、通信経路を切り替えるか否かの判定精度を高めることができる。
【０１０９】
なお、スイッチングサーバ１００は、ＭＮからＣＮに向けて送信された複数のＶｏＩＰパケットについて、バッファリングせずにジッタを測定するのみであるため、ＶｏＩＰパケットの伝送遅延は増大しない。
【０１１０】
また、スイッチングサーバ１００によれば、同一の無線基地局との無線通信を実行する複数のＭＮ（携帯電話端末３００Ａ，３００Ｂ及び３００Ｎ）の通信経路を切り替える場合、まず、一部のＭＮ（例えば、携帯電話端末３００Ａ）との通信経路のみが切り替えられる（図６のステップＳ２１１参照）。
さらに、当該一部のＭＮとの通信経路が切り替えると、当該一部のＭＮを除く残りのＭＮ（携帯電話端末３００Ｂ，３００Ｎ）との通信経路を切り替えるか否かが判定される。
【０１１１】
このため、特定の無線基地局（例えば、無線基地局１１）において、トラフィックの増大によって上り方向の通信品質が劣化した場合でも、切り替え先の無線ＩＰネットワークに含まれる無線基地局（例えば、無線基地局１３）が処理すべきトラフィックが急激に増大することを回避できる。
【０１１２】
また、通信システム１（例えば、スイッチングサーバ１００または携帯電話端末３００Ａ）によれば、無音状態を検出することができるため、無音状態を含めてＶｏＩＰパケットの受信間隔を判定することを回避できる。
また、携帯電話端末３００Ａによれば、無音状態のときには擬似パケットを送信することができる。
このため、ＶｏＩＰパケットの受信間隔、つまり、通信品質（ジッタ）をより正確に判定することができる。
【０１１３】
さらに、本実施形態では、図７に示したように、所定の閾値（５ｍｓ）の経過後（時刻ｔ２）に、擬似パケットＰ２１が送信される。
当該閾値が、スイッチングサーバ１００での通信経路切り替え判定閾値（表３参照）と比較して十分に小さければ、スイッチングサーバ１００は、通信経路切り替え判定閾値に到達する前に擬似パケットＰ２１を受信する。
このため、スイッチングサーバ１００は、無音状態であることを判定できる。
また、スイッチングサーバ１００は、擬似パケットを受信すると、上述したように所定の基準時刻（時刻ｔ０）を設定し直すため、通信経路を切り替えるか否かの判定精度を高めることができる。
【０１１４】
一方、当該所定の閾値を長くし過ぎた場合、スイッチングサーバ１００は、擬似パケットを適当なタイミングで受信できず、通信経路切り替え判定閾値に基づいて通信経路を切り替える。
しかしながら、スイッチングサーバ１００は、当該擬似パケットを受信次第、通信経路を切り替え前の状態に戻すこともできる。
【０１１５】
（その他の実施形態）  上述したように、本発明の一実施形態を通じて本発明の内容を開示したが、この開示の一部をなす論述及び図面は、本発明を限定するものであると理解すべきではない。
この開示から当業者には様々な代替実施の形態が明らかとなろう。
【０１１６】
例えば、上述した実施形態では、スイッチングサーバ１００において通信経路を切り替えるか否かを判定する形態としたが、携帯電話端末３００Ａが、スイッチングサーバ１００から受信したＶｏＩＰパケットの受信間隔に基づいて、通信経路の切り替えを判定してもよい。
この場合、携帯電話端末３００Ａは、無線通信の状態（例えば、ＲＳＳＩやＣＩＲ）を含めて通信経路を切り替えるか否かを判定してもよい。
【０１１７】
また、スイッチングサーバ１００は、アプリケーションを特定するアプリケーション情報を取得して、取得したアプリケーション情報に応じて無音状態判定閾値（表１）や判定条件（表２）を変更してもよい。
なお、アプリケーションとしては、ＩＰ電話アプリケーションやＩＰＴＶアプリケーションなどが挙げられる。
【０１１８】
また、上述した実施形態では、携帯電話端末３００Ａ（３００Ｂ，３００Ｎ）を例として説明したが、携帯電話端末３００Ａに代えて、無線通信カードと、ＩＰ電話アプリケーションソフトウェア（いわゆるソフトフォン）を実装したパーソナル・コンピュータなどとを用いてもよい。
【０１１９】
このように、本発明は、ここでは記載していない様々な実施の形態などを含むことは勿論である。
したがって、本発明の技術的範囲は、上述の説明から妥当な特許請求の範囲に係る発明特定事項によってのみ定められるものである。
【符号の説明】
【０１２０】
１…通信システム、１０Ａ，１０Ｂ…無線ＩＰネットワーク、２０…インターネット、１１〜１３…無線基地局、３０…中継センタ、４０…ユーザ構内、４１…ＩＰ電話交換機、４２…ＩＰ電話端末、１００…スイッチングサーバ、１０１，１０３…ＭＮ側通信インタフェース、１０５…擬似パケット生成部、１０７…無音検出部、１０９…送信パケット振り分け部、１１１…通信経路制御部、１１３…ＭＮ側受信制御部、１１５…ＣＮ側受信制御部、１１７…ＣＮ側送信部、１１９…ＣＮ側通信経路制御部、１２１…タイマ、１２３…ＣＮ側通信インタフェース、２００Ａ，２００Ｂ…ＶＰＮルータ、３００Ａ，３００Ｂ，３００Ｎ…携帯電話端末、３０１，３０３…無線通信インタフェース、３０５…無線状態監視部、３０７…受信制御部、３０９…送信パケット振り分け部、３１１…擬似パケット生成部、３１３…アプリケーション、３１５…無音検出部、３１７…ユーザインタフェース、３１９…通信経路制御部、３２１…タイマ、Ｐ１１〜Ｐ１６…ＶｏＩＰパケット、Ｐ２１〜Ｐ２ｎ…擬似パケット、Ｒ１，Ｒ２…通信経路
【図１】
2010233234.tif 000007
【図２】
2010233234.tif 000008
【図３】
2010233234.tif 000009
【図４】
2010233234.tif 000010
【図５】
2010233234.tif 000011
【図６】
2010233234.tif 000012
【図７】
2010233234.tif 000013